(57)【要約】      （修正有）【課題】高い吸収特性と消臭性を兼備し、且つ皮膚トラブルのない安全性に優れた消臭シーツを提供する。【解決手段】吸水性シート４の表面又は表裏両面に、クレープ率１０％以上の吸水紙３１，３２を１〜５枚積層してなる積層物の表面側を透水性素材２で被覆し、積層物の裏面側を非透水性素材５で被覆したシーツであって、該吸水性シートが柿タンニンを０．０１〜１ｇ／ｍ２の割合で塗着せしめた強化吸水紙で吸水性ポリマーを挟持してなることを特徴とする。【選択図】図１
0003157241.tif 000002
【実用新案登録請求の範囲】
【請求項１】
吸水性シートの表面又は表裏両面に、クレープ率１０％以上の吸水紙を１〜５枚積層してなる積層物の表面側を透水性素材で被覆し、積層物の裏面側を非透水性素材で被覆したシーツであって、該吸水性シートが柿タンニンを０．０１〜１ｇ／ｍ２の割合で塗着せしめた強化吸水紙で吸水性ポリマーを挟持してなることを特徴とする消臭シーツ。
【考案の詳細な説明】
【技術分野】
【０００１】
本考案は、医療や介護又はペット飼育等の現場において、尿や便、血液、体液、薬液等の汚液の吸収、吸液処理に好適に用いられる消臭シーツに関する。
【背景技術】
【０００２】
近年、高齢化社会への急速な移行に伴い、医療や介護の現場では専門の受入施設の不足により、在宅での療養や介護を余儀なくされるケースが増えている。中でも、在宅介護における失禁臭の問題は、いくら処置を徹底しても生活臭そのものに僅かな失禁臭が残り、不快な日常生活を強いられているのが現状である。
【０００３】
かかる失禁等による不快臭の問題を医療用や介護用シーツで改善した例として、特許文献１にはポリフェノール等の植物成分を含有する吸収性ポリマーを用いた吸収性物品が、また特許文献２には吸収性物品の少なくとも一部にカテキン類やタンニン酸等とセラミック成分との複合体を配合した熱接着性複合繊維からなる布シートを配置した吸収性物品が提案されている。
【０００４】
しかしながら、特許文献１に記載の吸収性物品は、吸収性ポリマー中に消臭成分を含有させているために吸収性能と消臭性能のいずれかが相殺されて、十分な性能が発揮できないという問題がある。一方、特許文献２の吸収性物品はカテキン類等の消臭剤が熱接着性複合繊維からなる布シート中に含有されているため、この場合も消臭効果が十分でないなど、いずれの物品も吸収性と消臭性を両立するものでなく、決して満足できなかった。
【先行技術文献】
【特許文献】
【０００５】
【特許文献１】特開２００４−１５６０１０号公報
【特許文献２】特開２００４−０８９２３４号公報
【考案の概要】
【考案が解決しようとする課題】
【０００６】
本考案は、高い吸収特性と消臭性を兼備し、且つ皮膚トラブルのない安全性に優れた消臭シーツの提供を目的とする。
【課題を解決するための手段】
【０００７】
本考案者は、上記目的を達成するために鋭意研究した結果、消臭剤として天然成分である柿タンニンを用い、かつ当該シーツの主要部である吸水性シートを、柿タンニンを所定量塗着せしめた強化吸水紙で吸水性ポリマーを挟持した形で構成することで、吸水性ポリマーの吸水性能を低下させることなく消臭性能が最大限に発揮されることを突き止め、本考案を完成させるに至ったものである。
【０００８】
即ち、本考案は吸水性シートの表面又は表裏両面に、クレープ率１０％以上の吸水紙を１〜５枚積層してなる積層物の表面側を透水性素材で被覆し、積層物の裏面側を非透水性素材で被覆したシーツであって、該吸水性シートが柿タンニンを０．０１〜１ｇ／ｍ２の割合で塗着せしめた強化吸水紙で吸水性ポリマーを挟持してなることを特徴とする消臭シーツである。
【０００９】
本考案において、表面側に用いる透水性素材は、素材中を水が通過可能な透水性があれば特に限定されず、例えば透水性の不織布、織布、有孔フィルム、若しくはメッシュフィルム等が挙げられる。透水性の不織布や織布は、目付け量が１０〜１００ｇ／ｍ２で、濡れてもある程度サラサラ感のあるものを使用するのが好ましく、疎水性繊維に親水性繊維を適度に混合し、サラサラ感と透水性のバランスを図るとよい。またメッシュフィルムとしては、開孔率３０〜５０％、開孔密度が７０〜２００孔／ｃｍ２で、ＪＥＪＥ姐妹（株）（中国）製のものが例示され、これは開孔部が底面側を絞り込んだ断面すり鉢状に穿孔されているため、この部分が逆止弁的な効果を発揮して吸水紙からの汚液の逆流を抑えることができる点で好ましい。一方、裏面側に用いる非透水性素材は、素材中を水が透過しない非透水性があれば特に限定されず、疎水性のプラスチックフィルム、特に厚さ５〜５０ミクロンのポリエチレンフィルムやポリプロピレンフィルムを用いるのが好ましい。
【００１０】
また、吸水紙は、医療用又は介護用等に一般的に用いられる吸水紙であって、クレープ率１０％以上、好ましくは１５％以上のものであれば特に限定されないが、本考案ではパルプ繊維を主材とする、目付量１０〜４０ｇ／ｍ２で、０．９％生理食塩水に対して自重の５〜１５倍の吸水能を持つものが好ましい。ここで、クレープ率が１０％未満ではボリューム感や吸水能が低下して速やかな汚液の吸収ができず、医療用や介護用等のシーツとしての機能が十分果たせなくなる。また本考案のシーツは、かかる吸水紙を１〜５枚、好ましくは１〜３枚重ねて使用するのが、使用中常にほぼ乾いた状態に保たれ、濡れによる不快感が少ない点で好ましい。
【００１１】
更に、本考案で用いる吸水性シートは、柿タンニンを０．０１〜１ｇ／ｍ２の割合で塗着せしめた強化吸水紙で吸水性ポリマーを挟持したものである。ここでタンニンとは、植物界に広く存在する複数のフェノール性水酸基を有する芳香族化合物であって、分子量が数１００〜数万のものである。中でも細断した柿渋を煮沸して煎じた後、ろ過、乾燥して得られる柿タンニンは、安価で天然由来のものであるため安全性が高く、しかもポリフェノール構造特有の優れた消臭、抗菌作用を有するものである。
【００１２】
本考案の吸水性シートは、この柿タンニンにエタノールや有機酸、界面活性剤、バインダー、水等を適宜加えて水溶液となし、この水溶液を強化吸水紙にスプレー等の方法で柿タンニンの量が０．０１〜１．０ｇ／ｍ２になるよう塗着した後、その表面に顆粒状（粉状）の吸水性ポリマーを散布すると共に、上面にも強化吸水紙を配置して、強化吸水紙の間に吸水性ポリマーを挟持した形としたもので、その吸水能は０．９％生理食塩水を自重の２０倍以上、好ましくは３０〜１５０倍、より好ましくは５０〜１００倍程度の吸水性シートが好適である。
【００１３】
ここで吸水性ポリマーとしては、架橋構造を有し、重合体の構成成分としてカルボキシル基及びカルボキシレート基を有する高吸水性のポリマーであればいかなるものでも使用できる。中でも、ポリアクリル酸塩架橋物、澱粉−アクリル酸グラフト共重合体架橋物、アクリル酸エステル−酢酸ビニル共重合体の加水分解物、アクリル酸塩−アクリルアミド共重合体架橋物及びポリアクリロニトリル架橋体物の加水分解物等が好適な例として挙げられる。
【００１４】
尚、柿タンニンの塗着量が０．０１ｇ／ｍ２未満では十分な消臭効果が得られず、塗着量が１ｇ／ｍ２を超えるとコストが高くなるばかりか、塗着量に見合う効果が得られない。
【００１５】
また、本考案で用いる強化吸水紙は、柿タンニン含有水溶液を塗着する関係で、水に濡れてもある程度の強度を保持するよう紙力増強剤を添加したり、叩解度の高いパルプ繊維を用いて抄紙したものであり、具体的には、湿潤時の強度が縦方向で１Ｎ／２５ｍｍ以上、横方向で０．５Ｎ／２５ｍｍ以上のものが好適である。
【００１６】
本考案の消臭シーツは、上記の如く透水性素材と吸水紙、吸水性シート、吸水紙、非透水性素材を積層したものであるが、ここで言う「積層」とは単に双方が重ね合わさっている状態を主として意味するが、双方が縫製、貼着、接着などの方法で部分的に固着されていてもよい。また本考案では、シーツの端部を汚液が漏れないように透水性素材と非透水性素材を接合したものであるが、この場合の「接合」とは双方をヒートシールやホットメルト接着剤等の方法で接合した状態を指すものである。
【００１７】
本考案の消臭シーツは、その目的、効果を阻害しない範囲で、透水性素材や吸水紙、吸水性シート、非透水性素材中に、もしくはこれらの間に他の消臭剤や芳香剤、抗菌剤等を含有させても良いし、更に吸水性シートは強化吸水紙の間に吸水性ポリマーとパルプ繊維を混ぜた形で挟持したものでもよい。また、本考案のシーツは、該シーツ装着時のずれを防止するために、非透水性素材の左右両端部を長くして寝具に巻き込むようにしたり、シーツの裏面にマジックテープ（登録商標）等を貼着しても差し支えない。更に本考案のシーツは、該シーツの上下両端部から汚液が漏れにくくするために、非透水性素材の上下両端部が透水性素材と吸水紙の間に５ｍｍ以上、好ましくは１０ｍｍ以上の重ね代を設けて透水性素材と接合したものでもよい。
【考案の効果】
【００１８】
本考案に係る消臭シーツは、透水性素材を表面材として人体に接する側に使用し、非透水性素材を裏面材として寝具に接する側に使用する。かかる本考案のシーツによれば、汚液は透水性素材を通って特定のクレープ処理された吸水紙に速やかに吸収され、更にそれを通過した汚液は吸水量の大きい吸水性シートに吸収されるため、体重による負荷があっても表面材から汚液が滲み出ることなく、使用中は常にほぼ乾燥した状態に保たれ不快感を味わうことがないばかりか、身体の冷えによる体調悪化も抑えられる。また、吸水性シートを構成する強化吸水紙には柿タンニンが塗着されているため、吸収した汚液から発生する悪臭は柿タンニンによって速やかに分解し、不快な臭いが消えると共に、抗菌効果も奏するなど、安全かつ衛生性に優れるものである。
【図面の簡単な説明】
【００１９】
【図１】は、本考案の消臭シーツの一例を示す断面概略図である。
【図２】は、本考案の消臭シーツで使用する吸水性シートの一例を示す断面概略図である。
【考案を実施するための形態】
【００２０】
本考案を実施するための形態は次の通りであるが、これらは本考案を実施するための形
態の一例に過ぎず、本考案はこれらの実施形態に限定されるものではない。
【００２１】
（実施の形態）
図１は、本考案に係る消臭シーツの一例であり、該シーツ１は、表面側から透水性素材２として不織布、吸水紙３１、吸水性シート４、吸水紙３２、非透水性素材５として疎水性フィルムの順で積層し、表面側の不織布と裏面側のフィルムとを積層物の周縁で接着して作製したものである。
【００２２】
この場合、吸水性シート４としては、図２の如く柿タンニン分散液（タンニング（株）製ＢＭ−５３９）を柿タンニンが０．１０ｇ／ｍ２になるよう塗着した強化吸水紙６（オークラ製紙（株）製ＮＰＥ）と、柿タンニン無塗着の強化吸水紙の間に吸水性ポリマー７（日本触媒（株）製アクアリックＣＳＷ）を４０ｇ／ｍ２散布し、熱ロールを通過させて一体化したものであり、０．９％生理食塩水に対し自重の８０倍の吸水量を有するものである。また、吸水紙３１、３２としては、０．９％生理食塩水に対し自重の８倍の吸水量があって、クレープ率１８％、目付量２７ｇ／ｍ２の吸水紙（カミ商事社製クレープ紙）を用いて上記積層物を作製した。この積層物を縦５７０×横８５０ｍｍにカットし、０．９％生理食塩水に対する吸水量を測定すると１３００ｇであり、自重の１５倍であった。また、上記表面側の不織布２としては、レーヨン繊維３０重量％とポリエチレン繊維７０重量％からなる繊維目付量１７ｇ／ｍ２の不織布（シンワ（株）製）を、裏面側の疎水性フィルム５としては、厚さ２０ミクロンのポリエチレンフィルム（福助工業（株）製）を用いた。
【００２３】
上記の方法で作製した本考案の消臭シーツについて、柿タンニンを無塗着とする以外は同様の方法で作製したシーツ（比較形態）との消臭性能を調べた結果を表１に示した。
【００２４】
ここで消臭性能は、３×５ｃｍに裁断した検体のシーツを５００ｍｌのフラスコ中に針金で懸垂し、その後、検体に触れないようアンモニアの場合は１００ｐｐｍ（閾値の１００倍の濃度）、トリメチルアミンの場合は１２ｐｐｍ（同１００倍の濃度）、硫化水素の場合は３ｐｐｍ（同１５０倍の濃度）、メチルメルカプタンの場合は２ｐｐｍ（同１００倍の濃度）になるよう、それぞれ標準液を個々のフラスコ中に注入し、封緘１時間後の残存ガス濃度（単位；ｐｐｍ）を検知管にて測定し、測定値を表１にまとめた。尚、表１には、初期濃度と残存濃度から求めた消臭率（％）もカッコ内に示した。
【００２５】
【表１】
0003157241.tif 000003
【００２６】
表１の結果から、本考案の消臭シーツは、４大悪臭といわれるアンモニア、トリメチルアミン、硫化水素、メチルメルカプタンのいずれに対しても、消臭率１００％と高い消臭効果を有することが確認された。また、この実施形態のシーツを介護用ベッドの敷物として使用すると、失禁臭等の悪臭はほとんど感じられず、しかも汚液は不織布を通って速やかに吸水紙に吸収され、吸収された汚液の逆流による滲み出しもみられないなど、使用者は使用中ほぼ乾燥したシーツに触れる感覚で心地よく使用できた。更にこのシーツによれば、汚液を吸収した部分が一時的に冷たくなっても触感温度の回復が早く、寝具を汚すこともないといった数多くの優れた特徴を有することが分かった。
【産業上の利用可能性】
【００２７】
本考案の消臭シーツは、医療用又は介護用、特にお産や手術、介護現場などのような、衛生的に確実な処理が求められる現場において、発生する尿、血液、体液、薬液等の汚液の吸収、吸液処理に加え、優れた消臭機能を有することから、医療や介護の現場はもとより、犬や猫等のペット飼育時の使い捨てシーツとしても極めて好適に用いられるものである。
【符号の説明】
【００２８】
１・・・医療用又は介護用消臭シーツ
２・・・透水性素材
３１、３２・・・吸水紙
４・・・吸水性シート
５・・・非透水性素材
６・・・強化吸水紙
７・・・吸水性ポリマー
【図１】
0003157241.tif 000004
【図２】
0003157241.tif 000005